(57)【要約】【課題】画像のチラツキを抑えた３次元画像出力装置を提供する。【解決手段】左眼用ＬＣＤドライバに入るＶＤ（ＶＤ（左））と、右眼用ＬＣＤドライバに入るＶＤ（ＶＤ（右））とは、１フィールド毎に交互に入力されるように制御されている。ラスタースキャンの開始は、ＶＤ信号によって制御される。よって、最初は、ＶＤ（左）のみが有効となり、ＶＤ（右）は出力されないので、ＬＣＤ表示は左眼のみが有効となり、Ｌ（Ｆ１）の画像データは左眼用ＬＣＤにのみ表示され、右眼用ＬＣＤには表示されない。次のフィールドの出力時においては、ＶＤ（右）のみが有効となり、ＶＤ（左）は出力されないので、ＬＣＤ表示は右眼のみが有効となり、Ｒ（Ｆ１）の画像データは右眼用ＬＣＤにのみ表示され、左眼用ＬＣＤには表示されない。【選択図】  図５
2009128428.tif 000002
【特許請求の範囲】
【請求項１】
使用者の左右の眼に別々に表示するように映像を形成する複数の表示装置と、画像データからの情報を基に、前記表示装置により再生可能な信号形式に再生する再生手段と、前記複数の表示装置のそれぞれに垂直同期信号を出力する垂直同期信号発生装置とを備えた画像表示装置において、
前記垂直同期信号発生手段は、前記再生手段から１フィールド毎に出力される垂直同期信号を前記複数の表示装置に交互に出力することを特徴とする画像表示装置。
【請求項２】
前記再生手段は、１フレーム毎に１フィールド分の左眼用の画像データと１フィールド分の右眼用の画像データが含まれた画像データを再生し、かつ１フィールド毎に再生開始時に前記垂直同期信号を前記垂直同期信号発生装置に出力することを特徴とする請求項１に記載の画像表示装置。
【請求項３】
前記複数の表示装置は、左眼用の表示部と、右眼用の表示部と、前記左眼用表示部を駆動するための左眼用表示部駆動手段と、前記右眼用表示部を駆動するための右眼用表示部駆動手段を備え、
前記左眼用表示部駆動手段及び前記右眼用表示部駆動手段には、前記再生手段から出力された再生信号、クロック信号及び水平同期信号と、前記垂直同期信号発生装置から出力された垂直同期信号が入力されることを特徴とする請求項２に記載の画像表示装置。
【発明の詳細な説明】
【技術分野】
【０００１】
本発明は、人間の眼に３次元の画像として視覚できる画像を出力する画像出力装置に関するものである。
【背景技術】
【０００２】
左右の眼に対面して左右全く同一の画像出力装置を設け、それぞれの画像出力装置に視差のある画像を別々に表示することにより、人間の眼に３次元と感じられる画像を表示する３次元画像出力装置が使用されている。さらに、１つの画像出力から左右の表示部に左又は右の画像のみを表示させるため、左右の視差画像（ステレオ・ペア）を奇数／偶数フィールドに記録して、フィールド毎に画像表示をオン・オフして表示させる時分割方式も使用されている。
【発明の開示】
【発明が解決しようとする課題】
【０００３】
このような従来の３次元画像出力装置においては、左右別々に同一の画像出力部を設けると形状が大きくなり、コスト高になるという問題があった。この問題を解決するために、１つの画像出力部で左右の表示部に同一の画像出力部から信号を出力することが考えられるが、１つの画像出力部からフィールド毎に時分割して左右に表示するフィールド時分割方式は、右眼用画像を表示しているときは、左眼用画像出力表示をオフし、左眼用画像を表示しているときは、右眼用画像出力表示をオフしているため、画像のチラツキが目立つという問題点があった。
【０００４】
本発明はこのような事情に鑑みてなされたもので、画像のチラツキを抑えた３次元画像出力装置を提供することを課題とする。
【課題を解決するための手段】
【０００５】
前記課題を達成するための第１の手段は、使用者の左右の眼に別々に表示するように映像を形成する複数の表示装置と、画像データからの情報を基に、前記表示装置により再生可能な信号形式に再生する再生手段と、前記複数の表示装置のそれぞれに垂直同期信号を出力する垂直同期信号発生装置とを備えた画像表示装置において、前記垂直同期信号発生手段は、前記再生手段から１フィールド毎に出力される垂直同期信号を前記複数の表示装置に交互に出力することを特徴とする画像表示装置である。
【０００６】
前記課題を解決するための第２の手段は、前記第１の手段であって、前記再生手段が、１フレーム毎に１フィールド分の左眼用の画像データと１フィールド分の右眼用の画像データが含まれた画像データを再生し、かつ１フィールド毎に再生開始時に前記垂直同期信号を前記垂直同期信号発生装置に出力することを特徴とするものである。
【０００７】
前記課題を解決するための第３の手段は、前記第２の手段であって、前記複数の表示装置が、左眼用の表示部と、右眼用の表示部と、前記左眼用表示部を駆動するための左眼用表示部駆動手段と、前記右眼用表示部を駆動するための右眼用表示部駆動手段を備え、前記左眼用表示部駆動手段及び前記右眼用表示部駆動手段には、前記再生手段から出力された再生信号、クロック信号及び水平同期信号と、前記垂直同期信号発生装置から出力された垂直同期信号が入力されることを特徴とするものである。
【発明の効果】
【０００８】
本発明によれば、１フィールド毎に画面表示をオン・オフさせないで、左（右）フィールドは、画面のオン・オフにより発生する左（右）にのみ表示させるようにしたため、画面のオン・オフにより発生する画像のチラツキを抑えた画像出力装置を実現することができる。
【発明を実施するための最良の形態】
【０００９】
以下、本発明の実施の例を図を用いて説明する。図１は、本発明の実施の形態の１例である３次元画像出力装置の外観図、図２はその内部構造の概要図である。図１において、本体１の上面にはＰＯＷＥＲボタン２、ＦＯＣＵＳボタン（＋、−）３、ＳＴＡＲＴボタン４、ＭＯＤＥボタン５、ＰＣカードスロット１３が設けられている。
【００１０】
図２において、双眼光学系は左右共に別々に配置されたＦＯＣＵＳレンズ６（POWER OFFの場合はイニシャライズ位置にある）、防塵ガラス７、画像表示ＬＣＤ８から構成され、使用者は、上記構成の下側に配置された表示制御回路９により画像表示ＬＣＤ８に表示された画像を防塵ガラス７方向から覗く構成になっている。左右のＦＯＣＵＳレンズ６は共に共通の固定部１１に固定され、固定部１１はステップモータ１２と送りネジ１３によりステップモータ１２の正／逆転で上下矢印方向に移動する構成になっている。ピント合わせはＦＯＣＵＳボタン３でＦＯＣＵＳレンズ６を矢印方向に移動させて行う。
【００１１】
画像は内部画像メモリとＰＣカードに記憶されたものを（ＰＣカードスロット１３に挿入する）読み出し表示する。ＰＯＷＥＲボタン２を押すと画像表示ＬＣＤ８がＯＮし画像が表示されるのでＦＯＣＵＳボタン３でピント合わせを行う。ＭＯＤＥボタン５の上下／左右ボタンにより記憶されている静止画、動画を選択しＥＮＴＥＲ（中心）キー１０で決定する。ＳＴＡＲＴボタン４を押すと動画再生がＳＴＡＲＴし、再押しでＳＴＯＰする。
【００１２】
図３にフレームメモリの内容を示す。このフレームメモリには、２Ｎラインからなる左右の視差画像が記憶されている。上（初め）の半分にＮライン分の左（右）画像データが、下（終わり）の半分にＮライン分の右（左）画像データが記憶される。（Ｎライン分のまとまりのデータを「１フィールド」と呼ぶことにする。）
図４に、回路の概略ブロック図を示す。ＤＳＰ（Digital Signal Processor）２３には、フレームメモリとしてのＳＤＲＡＭ２１が接続されると共に、前述のようにＰＣカード２２が接続されるようになっている。ＳＴＡＲＴボタン４が押されると、フレームメモリ又はＰＣカード２２の画像データが、ＤＳＰ２３からＬＣＤドライバ（２５，２６）に出力される。（フレームレートが３０の場合は、１秒間に３０フレームが出力される。）
さらに、ＤＳＰ２３より左右のＬＣＤドライバ（２５，２６）には、同期信号であるＣＬＫ（clock）信号、ＨＤ（水平同期信号）、ＶＤ（垂直同期信号）が出力される。
【００１３】
左右のＬＣＤドライバ（２５，２６）は、画像ＤＡＴＡを受けたとき、ＣＬＫ、ＨＤ、ＶＤを使用して、ＬＣＤの画素毎に表示制御を行う。ＬＣＤのＶ方向表示開始はＶＤの立ち上がりで行い、旧来は左画像データ、右画像データの順に表示を行っていた。しかし、本実施の形態では、下フィールドの表示をマスクするため、下記のようにＶＤ信号を処理している。
【００１４】
本実施の形態では、ＤＳＰ２３からＶＤ信号とＣＴＬ（Control）信号がＣＰＬＤ２４（Complex Programmable Logic Device）に入力され、ＣＰＬＤ２４から左眼或いは右眼用のＬＣＤドライバ２５，２６へ、ＣＴＬ信号に応じて制御されたＶＤ信号が出力されるようになっている。一方、ＣＰＬＤ２４には、左マスクレジスタ２４０１、右マスクレジスタ２４０２、１フィールド遅延部２４０３、ＯＲゲート２４０４，２４０５の機能ブロックを備えており、左眼用ＬＣＤドライバ２５に出力するＶＤ信号と、右眼用ＬＣＤドライバ２５に出力するＶＤ信号とで１フィールド遅延させて出力するようにしている。すなわちＣＰＬＤ２４は、左右の表示手段に対する垂直同期信号制御回路となっている。
【００１５】
ＤＳＰ２３は、ＤＳＰ２３から画像データであるＤＡＴＡ信号が左右のＬＣＤドライバ２５、２６にＮライン分のデータが出力される毎に、ＶＤ信号をＣＰＬＤ２４に出力する。ＣＰＬＤ２４は、ＣＴＬ信号を左マスクレジスタ２４０１と１フィールド遅延部２４０３に入力する。左マスクレジスタ２４０１は、ＣＴＬ信号がＬｏｗレベルのときに、ＯＲゲート２４０４にＬｏｗレベルの信号を出力する。なお、左マスクレジスタ２４０１は、Ｌｏｗレベルへの変化を一回おきに、ＯＲゲート２４０４に出力する。
【００１６】
一方、１フィールド遅延部２４０３は、１回目のＣＴＬ信号が入力されたときには、出力側には何も出力せず、２回目以降のＣＴＬ信号が入力されたときに、２回目のＣＴＬ信号の変化に合わせた信号を出力する。したがって、右マスクレジスタ２４０２には、２回目以降のＣＴＬ信号が入力される。右マスクレジスタ２４０２には、左マスクレジスタ２４０１と同じである。したがって、一回おきにＬｏｗレベルへの変化をＯＲゲート２４０５に出力する。
【００１７】
ＯＲゲート２４０４は、ＤＳＰ２３からのＶＤ信号と左マスクレジスタ２４０１の信号のＯＲ信号を出力する。ＯＲゲート２４０５も同様にＤＳＰ２３からのＶＤ信号と右マスクレジスタ２４０２の信号のＯＲ信号を出力する。
【００１８】
図５は、図４に示す回路の作動を示すタイムチャートである（フレームレート３０フレーム／秒で記載）。画像データは、１／３０秒毎に、１フレーム（２Ｎライン）の画像データが、左右のそれぞれのＬＣＤドライバ（２５，２６）に出力される。このうち前半の１フィールド（Ｎライン）のデータは左眼用、後半の１フィールド（Ｎライン）のデータは右眼用である。
【００１９】
ＶＤ信号は、前記処理された信号として左右のＬＣＤドライバ（２５，２６）に入力される。又、画像データは、最初に最初の画像の左眼用データ（Ｌ（Ｆ１））が、次に最初の画像の右眼用データ（Ｒ（Ｆ１））が、次に２番目の画像の左眼用データ（Ｌ（Ｆ２））が、次に２番目の画像の右眼用データ（Ｒ（Ｆ２））が、というように、順次ＬＣＤドライバ（２５，２６）に入力される。
【００２０】
左眼用ＬＣＤドライバ２５に入るＶＤ（ＶＤ（左））と、右眼用ＬＣＤドライバ２６に入るＶＤ（ＶＤ（右））とは、前述のように１フィールド遅延されている。
【００２１】
又、ＬＣＤの表示開始は、ＶＤ信号によって制御される。最初は、ＶＤ（左）信号のみが出力され、次にＶＤ（右）信号が１フィールド遅れて出力される。それ故、最初は、フィールド切替パルスであるＶＤ（右）信号はマスクされているため、Ｌ（Ｆ１）の画像データは左眼用ＬＣＤ２８にのみ１フレーム画面表示され、Ｒ（Ｆ１）は、右眼用ＬＣＤ２９には表示されない。
【００２２】
次に、ＶＤ（右）信号が出力されると、右眼用ＬＣＤ２９には、Ｒ（Ｆ１）の画像が表示される。しかし、ＶＤ（左）信号は、出力されていないため、Ｒ（Ｆ１）の画像は左眼用ＬＣＤ２８には表示されない。
【００２３】
次のフィールドの出力時においては、前記と同様に１フィールド分遅延されて、左眼用ＬＣＤ２８にはＬ（Ｆ２）が上書きされて表示される。同様に、１フィールド分遅延されて、右眼用ＬＣＤ２９にはＲ（Ｆ２）が上書きされて表示される。
【００２４】
このように、各フィールドのデータは、右眼用ＬＣＤ２９には右眼用画像データが表示され、左眼用ＬＣＤ２８には左眼用画像データが表示される。１フレームメモリ（２フィールド）分のデータが表示される毎に、新しい画像データが内蔵メモリ又はＰＣカードから読み込まれ、順次表示されていく。このように、本実施の形態によれば、従来例のようにフィールド毎に画像表示をオン・オフさせないで、左右データをそれぞれ左、右の表示部に表示するため“チラツキ”を低減できる。
【図面の簡単な説明】
【００２５】
【図１】本発明の実施の形態の１例である３次元画像出力装置の外観図である。
【図２】図１に示す３次元画像出力装置の内部構造の概要図である。
【図３】フレームメモリの内容を示す図である。
【図４】本実施の形態の回路の概略ブロック図を示す図である。
【図５】図４に示す回路の作動を示すタイムチャートである。
【符号の説明】
【００２６】
１…本体、２…ＰＯＷＥＲボタン、３…ＦＯＣＵＳボタン、４…ＳＴＡＲＴボタン、５…ＭＯＤＥボタン、６…ＦＯＣＵＳレンズ、７…防塵ガラス、８…画像表示ＬＣＤ、９…表示制御回路、１０…ＥＮＴＥＲキー、２１…ＳＤＲＡＭ、２２…ＰＣカード、２３…ＤＳＰ、２４…ＣＰＬＤ、２５…左眼用ＬＣＤドライバ、２６…右眼用ＬＣＤドライバ、２８…左眼用ＬＣＤ、２９…右眼用ＬＣＤ、２４０１…左マスクレジスタ、２４０２…右マスクレジスタ、２４０３…１フィールド遅延部、２４０４，２４０５…ＯＲゲート
【図１】
2009128428.tif 000003
【図２】
2009128428.tif 000004
【図３】
2009128428.tif 000005
【図４】
2009128428.tif 000006
【図５】
2009128428.tif 000007